(57)【要約】      （修正有）【課題】切り欠きに唇の内側中央部を付けて内部の飲料を飲むことができ、飲料が飲み口の下に垂れない、また飲み口が衛生的である、さらに不快感を与えない、といった効果の一又は二以上を奏することができる飲料用容器の提供。【解決手段】飲料用容器１の飲み口３の外周に、飲み口３の外周の周方向に直交する方向に並んだ２本以上の雄ねじに亘り注ぎ口７に向かって拡がる切り欠き６を有する、または注ぎ口７に向かって拡がってから狭まる切り欠き６を有する、さらには飲み口３の外周の７０度以上１１０度未満の範囲に設けられた切り欠き６を有する、雄ねじ５を形成する。【選択図】図１
0003130772.tif 000002
【実用新案登録請求の範囲】
【請求項１】
飲料用容器の飲み口の外周に、前記飲み口の外周の周方向に直交する方向に並んだ２本以上の雄ねじに亘り注ぎ口に向かって拡がる切り欠きを有する、蓋の雌ねじと嵌り合う雄ねじが形成されていることを特徴とする飲料入り飲料用容器。
【請求項２】
前記切り欠きが、略弧状に拡がることを特徴とする請求項１に記載の飲料入り飲料用容器。
【請求項３】
飲料用容器の飲み口の外周に、前記飲み口の外周の周方向に直交する方向に並んだ２本以上の雄ねじに亘り注ぎ口に向かって拡がってから狭まる切り欠きを有する、蓋の雌ねじと嵌り合う雄ねじが形成されていることを特徴とする飲料入り飲料用容器。
【請求項４】
前記切り欠きが、略円形であることを特徴とする請求項３に記載の飲料入り飲料用容器。
【請求項５】
飲料用容器の飲み口の外周に、前記飲み口の外周の周方向に直交する方向に並んだ２本以上の雄ねじに亘り前記飲み口の外周の７０度以上１１０度未満の範囲に設けられた切り欠きを有する、蓋の雌ねじと嵌り合う雄ねじが形成されていることを特徴とする飲料入り飲料用容器。
【請求項６】
前記切り欠きが、前記飲み口の外周の周方向に直交する方向に並んだ３本以上の雄ねじのうち、前記３本以上の雄ねじの本数より１本以上少ない前記２本以上の雄ねじに亘り設けられていることを特徴とする請求項１，２，３，４又は５のいずれかに記載の飲料入り飲料用容器。
【請求項７】
前記蓋の前記蓋を閉じた時に前記切り欠きに対応する位置に、印を付けることを特徴とする請求項１，２，３，４，５又は６のいずれかに記載の飲料入り飲料用容器。
【請求項８】
飲料用容器の飲み口の外周に、前記飲み口の外周の周方向に直交する方向に並んだ２本以上の雄ねじに亘り注ぎ口に向かって拡がる切り欠きを有する、蓋の雌ねじと嵌り合う雄ねじが形成されていることを特徴とする飲料用容器。
【請求項９】
前記切り欠きが、略弧状に拡がることを特徴とする請求項８に記載の飲料用容器。
【請求項１０】
飲料用容器の飲み口の外周に、前記飲み口の外周の周方向に直交する方向に並んだ２本以上の雄ねじに亘り注ぎ口に向かって拡がってから狭まる切り欠きを有する、蓋の雌ねじと嵌り合う雄ねじが形成されていることを特徴とする飲料用容器。
【請求項１１】
前記切り欠きが、略円形であることを特徴とする請求項１０に記載の飲料用容器。
【請求項１２】
飲料用容器の飲み口の外周に、前記飲み口の外周の周方向に直交する方向に並んだ２本以上の雄ねじに亘り前記飲み口の外周の７０度以上１１０度未満の範囲に設けられた切り欠きを有する、蓋の雌ねじと嵌り合う雄ねじが形成されていることを特徴とする飲料用容器。
【請求項１３】
前記切り欠きが、前記飲み口の外周の周方向に直交する方向に並んだ３本以上の雄ねじのうち、前記３本以上の雄ねじの本数より１本以上少ない前記２本以上の雄ねじに亘り設けられていることを特徴とする請求項８，９，１０，１１又は１２のいずれかに記載の飲料用容器。
【請求項１４】
前記蓋の前記蓋を閉じた時に前記切り欠きに対応する位置に、印を付けることを特徴とする請求項８，９，１０，１１，１２又は１３のいずれかに記載の飲料用容器。
【考案の詳細な説明】
【技術分野】
【０００１】  本考案は、飲料入り飲料用容器又は飲料用容器に関するものである。
【背景技術】
【０００２】  従来の飲料用容器の飲み口の外周には、飲み口の外周の周方向に直交する方向に並んだ２本以上の雄ねじに亘る切り欠きのない、またはあったとしてもスリット状の切り欠きを有する、蓋の雌ねじと嵌り合う雄ねじが形成されている。
【考案の開示】
【考案が解決しようとする課題】
【０００３】  このため、飲料用容器の飲み口に直接唇を付けて内部の飲料を飲む場合に、この雄ねじが唇の内側中央部に当たってしまう。この場合、雄ねじにより飲み口と唇との密着が不十分となり、飲料が飲み口の下に垂れることがある。また、雄ねじの側面に溜まった飲料や唾液などにより、飲み口が衛生的でないことがある。さらに、雄ねじが唇に不快感を与えることがある。
【課題を解決するための手段】
【０００４】  本考案は、飲料用容器の飲み口の外周に、飲み口の外周の周方向に直交する方向に並んだ２本以上の雄ねじに亘り注ぎ口に向かって拡がる切り欠きを有する、または注ぎ口に向かって拡がってから狭まる切り欠きを有する、さらには飲み口の外周の７０度以上１１０度未満の範囲に設けられた切り欠きを有する、蓋の雌ねじと嵌り合う雄ねじを形成するものである。
【考案の効果】
【０００５】  これにより、切り欠きに唇の内側中央部を付けて内部の飲料を飲むことができ、飲料が飲み口の下に垂れない、また飲み口が衛生的である、さらに不快感を与えない、といった効果の一又は二以上を奏することができる。
【考案を実施するための最良の形態】
【０００６】  図面を参照して本考案の実施の形態について説明する。【０００７】  図１は、本考案に係る飲料入り飲料用容器を示す。ペットボトルやアルミ缶などの飲料用容器１の中に、お茶やジュースなどの飲料２が入っている。【０００８】  飲料用容器１の上部には飲み口３があり、その外周には蓋４の雌ねじと嵌り合う雄ねじ５が形成されている。雄ねじ５は切り欠き６を有し、切り欠き６は飲み口３の外周の周方向に直交する方向に並んだ２本以上の雄ねじに亘り注ぎ口７に向かって拡がって設けられている。これにより、切り欠き６に唇の内側中央部を付けて内部の飲料２を飲むことができる。また、唇の形状にフィットさせることができる。【０００９】  ここでは、切り欠き６が略弧状に拡がっている例を示すが、略直線状に拡がっても良い。【００１０】図２は、本考案に係る別の飲料入り飲料用容器を示す。切り欠き６は飲み口３の外周の周方向に直交する方向に並んだ２本以上の雄ねじに亘り注ぎ口７に向かって拡がってから狭まるように設けられている。これにより、切り欠き６に唇の内側中央部を付けて内部の飲料２を飲むことができる。また、唇の形状にフィットさせることができる。【００１１】  ここでは、切り欠き６が略円形に拡がってから狭まる例を示すが、略菱形であっても良い。【００１２】  図３は、本考案に係るさらに別の飲料入り飲料用容器を示す。切り欠き６は飲み口３の外周の周方向に直交する方向に並んだ２本以上の雄ねじに亘り飲み口３の外周の３０度以上１５０度未満の範囲に設けられている。これにより、切り欠き６に唇の内側中央部を付けて内部の飲料２を飲むことができる。また、力を加えた時の蓋４と雄ねじ５とのズレが生じることを防止することができる。さらに、消費者の平均的な大きさの唇にフィットさせることができる。【００１３】  また、図１，図２および図３では、切り欠き６は飲み口３の外周の周方向に直交する方向に並んだ３本以上の雄ねじのうち、この３本以上の雄ねじの本数より１本以上少ない２本以上の雄ねじに亘り設けられている。これにより、切り欠きのない残りの１本以上の雄ねじにより、飲料２が雄ねじ５の下に垂れることを防止し、また、力を加えた時の蓋４と雄ねじ５とのズレが生じることを防止することができる。【００１４】  ここでは、切り欠き６は３本の雄ねじのうち２本に設けられているが、４本の雄ねじのうち２本に設けても良いし、４本の雄ねじのうち３本に設けても良い。【００１５】  さらに、蓋４の蓋４を閉じた時に切り欠き６に対応する位置に、印を付けても良い。これにより、消費者は容易に切り欠きを探すことができる。【００１６】  以上において、切り欠き６は雄ねじ５に１箇所のみ設けられているが、切り欠きは雄ねじに２箇所以上設けても良い。【００１７】  なお、図４は、従来の技術に係る飲料入り飲料用容器の一例を示す。雄ねじ１５は飲み口３の外周の周方向に直交する方向に並んだ２本以上の雄ねじに亘る切り欠き１６を有するが、切り欠き１６はスリット状で、注ぎ口１７に向かって一定幅に設けられており、また飲み口１３の外周の１０度程度の範囲に設けられている。【００１８】  その目的は、飲料１２が二酸化炭素を含んでいる場合や高所にある場合において、飲料用容器１１の蓋１４を開ける時に蓋１４が急激に飛び出さないよう内部の気体を逃して内圧を下げること、また、切り欠き１６で雄ねじ１５の変形を吸収することで、雄ねじ１５の長手方向に直交する方向への変形を防止し、蓋１４を開ける時に開けにくくならないようにすることであり、本考案の効果を目的とするものではない。【００１９】  本考案に含まれる商品の販売形態としては、飲料入り飲料用容器と飲料用容器のどちらも考えられる。
【図面の簡単な説明】
【００２０】
【図１】本考案に係る飲料入り飲料用容器を示す図である。
【図２】本考案に係る別の飲料入り飲料用容器を示す図である。
【図３】本考案に係るさらに別の飲料入り飲料用容器を示す図である。
【図４】従来の技術に係る飲料入り飲料用容器の一例を示す図である。
【符号の説明】
【００２１】  １，１１飲料用容器
２，１２飲料
３，１３飲み口
４，１４蓋
５，１５雄ねじ
６，１６切り欠き
７，１７注ぎ口
【図１】
0003130772.tif 000003
【図２】
0003130772.tif 000004
【図３】
0003130772.tif 000005
【図４】
0003130772.tif 000006